(57)【特許請求の範囲】
【請求項１】
天板の下面部に、抽斗を前後引き出し動可能に支持する前後長手の支持レールが配置されており、前記支持レールは、当該支持レールをほぼ水平方向に移動させることで互いに嵌り合う係合手段により、前記抽斗を前後動可能に支持する姿勢に保持されている机であって、
前記天板と前記支持レールとには、前記支持レールをその長手方向に移動させることで互いに嵌り合う第１係合手段と、前記第１係合手段が嵌り合った状態の前記支持レールを前記天板の下面部に重ね合わせた状態で抽斗支持姿勢に水平回動させると互いに嵌り合う第２係合手段とを備えている、
机。
【請求項２】
前記第１係合手段は、前記支持レールの前部に形成された側面視前向き鉤状の係止片と、この係止片が嵌るように前記天板の下面前部に形成された係止穴とからなり、
前記第２係合手段は、前記支持レールの後部に形成された正面視横向き鉤状の係止爪片と、この係止爪片が嵌るように前記天板の下面に形成された係合穴とからなり、前記第２係合手段の係止爪片は前記抽斗の中心を挟んで左右外側を向いた姿勢に形成されており、前記第１係合手段が嵌り合った状態の前記支持レールを前記抽斗の収納部と重なる姿勢から前記抽斗支持姿勢に向けて水平回動させることで、前記係止爪片が前記係合穴に嵌り込み切るようになっている、
請求項１に記載した机。
【請求項３】
前記天板の下面部には下向きに開口した位置決め穴が形成されている一方、
前記支持レールの上面には、前記第１係合手段が嵌り合った状態の前記支持レールを前記天板の下面部に重ね合わせた状態で前記抽斗支持姿勢に水平回動させると弾性変形を利用して前記位置決め穴に係合する位置決めフックを有する樹脂製部材が着脱可能に取り付けられており、
前記位置決めフックには、これと前記位置決め穴との係合を弾性に抗して解除操作するための操作片が一体に形成されている、
請求項１又は２に記載した机。
【発明の詳細な説明】
【技術分野】
【０００１】
本願発明は、天板の下面部に抽斗用の支持レールが取り付けられている机に関するものである。
【背景技術】
【０００２】
従来から、この種の机においては、スチール製天板の下面に、左右方向に延びる補強枠が前後に適宜隔てて複数本固着されており、この補強枠を利用して抽斗用の支持レールが着脱可能に取り付けられている。
【０００３】
かかる構造の一例として特許文献１には、
（１）．支持レールの前端部に上向き突設された前向き鉤状の第１係止片を、前補強枠の底面に穿設された第１係合穴に斜め後方から差し込んだのち、
（２）．次いで、この状態で第１係止片を支点にして支持レールを押し上げ回動させることにより、支持レールに上向き突設された第３係止片を、後補強枠の底面に穿設された第３係合穴に下方から嵌め込むと共に、
（３）．支持レールのうち第３係止片より後方の箇所に上向き突設された第２係止片の前向き爪部を、後補強枠の後面に穿設された第２係合穴に弾性復原力にて引っ掛かり係合させる、
ことが開示されている。
【０００４】
この構成によると、支持レールの第１係止片を前補強枠の第１係合穴に差し込んでから支持レールを押し上げ回動させるというワンタッチ的な操作で、支持レールを天板に取り付けできるため、取り付け作業が簡単に行える。また、第２及び第３係止片にて後補強枠を前後から弾性的に挟持しているので、支持レールの前後方向のガタ付きも抑制される。
【特許文献１】特許第３１０７９７４号公報
【発明の開示】
【発明が解決しようとする課題】
【０００５】
ところで近年、コンピュータは小型化の傾向が進み、特に携帯型端末（ノート型パソコン等）は、Ｂ５〜Ａ４用紙サイズ程度まで小型化されている結果、オフィスや工場等で使用される機会が増大しており、情報保護・安全管理等の点から、オフィス等に配置された机（テーブル）の抽斗内に、不使用時のノート型パソコンを収容することは日常的に行われている。ノート型パソコンは小型化したとはいえ、他の事務用品と比べれば重量物であるため、抽斗の左右側部を支持する支持レールには十分な取り付け強度が要求される。
【０００６】
しかし、特許文献１の構成では、第２及び第３係止片にて後補強枠を前後から弾性的に挟持することにより、第２係止片の前向き爪部と後補強枠の第２係合穴との引っ掛かり係合を維持しているから、支持レールの後部側の取り付け強度は専ら第２及び第３係止片の弾性復原力に依存している。このため、取り付けの容易性を損なわずに支持レールの取り付け強度を高めるには限界があり、改善する余地があった。
【０００７】
そこで、本願発明はこのような現状を改善することを技術的課題とするものである。
【課題を解決するための手段】
【０００８】
この技術的課題を解決するため、請求項１の発明は、天板の下面部に、抽斗を前後引き出し動可能に支持する前後長手の支持レールが配置されており、前記支持レールは、当該支持レールをほぼ水平方向に移動させることで互いに嵌り合う係合手段により、前記抽斗を前後動可能に支持する姿勢に保持されている机であって、前記天板と前記支持レールとには、前記支持レールをその長手方向に移動させることで互いに嵌り合う第１係合手段と、前記第１係合手段が嵌り合った状態の前記支持レールを前記天板の下面部に重ね合わせた状態で抽斗支持姿勢に水平回動させると互いに嵌り合う第２係合手段とを備えているというものである。
【０００９】
請求項２の発明は、請求項１に記載した机において、前記第１係合手段は、前記支持レールの前部に形成された側面視前向き鉤状の係止片と、この係止片が嵌るように前記天板の下面前部に形成された係止穴とからなり、前記第２係合手段は、前記支持レールの後部に形成された正面視横向き鉤状の係止爪片と、この係止爪片が嵌るように前記天板の下面に形成された係合穴とからなり、前記第２係合手段の係止爪片はその鉤部が前記抽斗の中心を挟んで左右外側を向いた姿勢に形成されており、前記第１係合手段が嵌り合った状態の前記支持レールを前記抽斗の収納部と重なる姿勢から前記抽斗支持姿勢に向けて水平回動させることで、前記係止爪片が前記係合穴に嵌り込み切るようになっているというものである。
【００１０】
請求項３の発明は、請求項１又は２に記載した机において、前記天板の下面部には下向きに開口した位置決め穴が形成されている一方、前記支持レールの上面には、前記第１係合手段が嵌り合った状態の前記支持レールを前記天板の下面部に重ね合わせた状態で前記抽斗支持姿勢に水平回動させると弾性変形を利用して前記位置決め穴に係合する位置決めフックを有する樹脂製部材が着脱可能に取り付けられており、前記位置決めフックには、これと前記位置決め穴との係合を弾性に抗して解除操作するための操作片が一体に形成されているというものである。
【発明の効果】
【００１１】
本願発明の構成によると、抽斗用の支持レールをその長手方向に移動させて、第１係合手段を互いに嵌め合わせた後、前記第１係合手段が嵌り合った状態の前記支持レールを前記天板の下面部に重ね合わせた状態で抽斗支持姿勢に水平回動させて、第２係合手段を互いに嵌め合わせるという２段階操作により、前記支持レールを前記抽斗支持姿勢で前記天板の下面部に取り付けできるから、前記支持レールの取り付け作業の作業性が低下することはない。
【００１２】
そして、前記第１及び第２係合手段は前記支持レールの略水平方向の移動にて互いに嵌め合わさるものであるから、前記支持レールに下向きの外力が作用しても前記第１及び第２係合手段の嵌合は外れ難いものとなり、前記支持レールの取り付け強度が格段に向上する。従って、本願発明によると、前記支持レールはワンタッチ的な操作で取り付けできるものでありながら、その取り付け強度を十分に確保できるという効果を奏する。
【００１３】
請求項２の発明は、請求項１の発明をより具体化したものである。このように構成すると、前記支持レールの取り付け時は、前記第１係合手段が嵌り合った状態の前記支持レールを前記抽斗の収納部と重なる姿勢から前記抽斗支持姿勢に向けて水平回動させればよく、取り外し時は、前記支持レールを取り付け時と逆方向に水平回動させればよいので、支持すべき抽斗が外された状態であれば、隣接する他の抽斗や、天板を支持する脚又は袖キャビネットと干渉することなく、前記支持レールを個別に取り付けたり取り外したりできる。このため、前記支持レールの取り付け・取り外し作業や交換作業を簡単に行えるという効果を奏する。
【００１４】
請求項３の構成によると、前記第１係合手段が嵌り合った状態の前記支持レールを前記天板の下面部に重ね合わせた状態で前記抽斗支持姿勢に向けて水平回動させて、前記第２係合手段を互いに嵌め合わせるのと同時に、前記天板側の位置決め穴に前記支持レール側の位置決めフックを弾性変形を利用して係合させることによって、前記支持レールの抽斗支持姿勢への位置決めが自動的になされるため、取り付け作業をより簡単且つ能率よく行えるという効果を奏する。
【００１５】
また、前記位置決めフックを有する部材が樹脂製であるから、前記位置決めフックに一体に形成された操作片を弾性に抗して解除操作すれば、前記位置決めフックを軽い力で弾性変形させることができ、前記位置決め穴との係合を簡単に解除できる。このため、前記支持レールの取り外しがきわめて容易になるという効果も奏する。
【発明を実施するための最良の形態】
【００１６】
以下に、本願発明を具体化した実施形態を図面（図１〜図８）に基づいて説明する。図１は多連式机システムの外観斜視図、図２は天板の部分底面図、図３は天板と支持レールとの関係を示す分離斜視図、図４は支持レールの取り付け手順の前半段階を示す側断面図、図５は支持レールの取り付け手順の後半段階を示す底面図、図６のうち（ａ）は位置決めフックを第２中間補強枠の位置決め穴に嵌め込む前の状態を示す部分正断面図、（ｂ）は係止爪片を第２中間補強枠の係合穴に嵌め込み切った状態を示す部分正断面図、図７は位置決めキャップの正面図、図８は抽斗の後端部と支持レールの後端部との関係を示す平断面図である。
【００１７】
（１）．全体の概要
図１〜図８に示す実施形態は、１枚の天板２を有する机ユニット１を左右に並設して多連式机システムを構成すると共に、前後の多連式机システムを背中合わせに配置したものである。
【００１８】
左右に隣り合った天板２は１つの脚３又は袖キャビネット４で支持されており、多連式机システムの左右端部を構成する箇所では、天板２の端部が１つの脚３又は袖キャビネット４にて支持されている。すなわち、左右に隣り合った机ユニット１は、脚３又は袖キャビネット４を共用している。脚３は、中空板状に形成された基部の上端と下端とからアームが前向きに延びているいわゆるＬ脚となっており、従って、平面視では前後方向に細長い形状になっている。
【００１９】
天板２は脚３又は袖キャビネット４に連結されており、また、脚３又は袖キャビネット４は机ユニット１を構成する背面部材５に連結されている。前後の机ユニット１において背面部材５は共用されている。天板２の後方には机上パネル６が取り付けられている。
【００２０】
天板２の下面箇所には、左右巾寸法の大きい抽斗７を１つ配置したり、左右巾寸法の小さい抽斗７を左右並列状に複数個配置したりしている。本実施形態では、天板２の下面箇所に、抽斗７の左右巾寸法や配置個数に合わせて、２本１組の前後長手の支持レール８（図３参照）が適宜組数だけ着脱可能に取り付けられており、各１組の支持レール８に対して１つの抽斗７が前後引き出し動可能に装架されている。
【００２１】
（２）．天板の構造
本実施形態の天板２はスチール製（木製でも構わない）であり、その上面を構成する表面板１１と、表面板１１の前部を支持する左右長手の前部補強枠１２と、表面板１１の後部を支持する後部補強枠１３と、前後補強枠１２，１３の間に位置する複数の中間補強枠１４（本実施形態では３本）と、補強枠１２〜１４群の左右両端に固着された前後長手のサイド補強枠１５と、樹脂製のサイドエッジ１６及びリアエッジ１７とを備えている（図２及び図３参照）。
【００２２】
前後補強枠１２，１３はほぼ同じ断面形状であり、表面板１１に重なる部分とこれら下方に突出した角形樋状部１８，１９を有する形態になっている。角形樋状部１８，１９には上向き凸の凹溝部２０，２１が凹み形成されている。前部補強枠１２における角形樋状部１８の凹溝部２０には、支持レール８と重なる部位の内壁前面に、第１係合手段の一環として細巾スリット状の係止穴２２が左右一対形成されている。
【００２３】
中間補強枠１４はいずれも上向き開口略樋状に形成されており、中間補強枠１４において平面視で支持レール８と重なる下面には、第２係合手段の一環として左右長手の係合穴２３が下向きに開口するように形成されている。これら各係合穴２３は、平面視で抽斗７の中心を挟んで左右外方向（各図に示す矢印Ａ方向参照）に行くに従って溝巾が小さくなるテーパ状に形成されている。
【００２４】
また、中間補強枠１４の下面のうち係合穴２３より手前の箇所には、下向きに開口する角形の位置決め穴２４が形成されている。
【００２５】
（３）．支持レールの構造
抽斗７の左右側部を支持する左右一対の支持レール８は、抽斗７を挟んで左右対称状に形成されたものであり、取り付け箇所に拘らず、基本的に同じ構成である。そこで、１つの抽斗７における右側の支持レール８を代表として、以下、詳細に説明する。
【００２６】
支持レール８は１枚の金属板を板金加工してなるものであり、抽斗２の左右後側部に設けられた樹脂製のスライダー９（図８参照）が摺接する支持片３１と、これに連接された垂直片３２と、該垂直片３２の上端に連接された水平状の上面片３３とにより正面視コ字状に形成されている。上面片３３は支持片３１より広巾に形成されている。
【００２７】
支持レール８における垂直片３２の前端上部と上面片３３の前端部とには、前部補強枠１２における角形樋状部１８の凹溝部２０に形成された一対の係止穴２２に後方から深く嵌り込む側面視前向き鉤爪状の係止片３４が折り曲げ形成されている。両係止片３４の左右間隔寸法が凹溝部２０における両係止穴２２の左右間隔寸法と同じであることはいうまでもない。両係止片３４における頭部の前後長さは、その爪状先端部を係止穴２２に差し込んだ状態で前部補強枠１２における角形樋状部１８の凹溝部２０にすっぽりと収まる寸法に設定されている（図４の実線状態参照）。係止片３４は特許請求の範囲に記載した第１係合手段の一環をなすものである。
【００２８】
このように、支持レール８の前部に係止片３４を左右一対形成すると、支持レール８の前部は左右２箇所の部位において前部補強枠１２に固定された状態になるから、抽斗７を前方に大きく引き出した状態で支持レール８の前部に掛かるモーメントに対して、十分な取り付け強度を確保できる。
【００２９】
両係止片３４の間のうち垂直片３２から離れている係止片３４の近傍箇所には、支持レール８を吊り掛けた状態で凹溝部２０の内壁前面に当接するストッパー片３５が前向きに突出形成されている。支持片３１と垂直片３２と上面片３３とで囲まれた内部は、抽斗７の左右側部に形成された前後長手のガイド部７ｂ（図６（ｂ）参照）が介挿される領域であり、垂直片３２の内面前部には、抽斗７におけるガイド部の下面に当接するローラ３６が回動可能に軸支されている。
【００３０】
なお、垂直片３２の前端部には、その剛性を確保するために、側面視で略Ｌ字状に延びるリブ３７が内向きに膨出形成されている。また、垂直片３２の後端部には、抽斗７におけるスライダー９の側面に接触し得る前後長手の段押しリブ３８が内向きに膨出形成されており、この段押しリブ３８より後方の箇所には、抽斗７のスライダー９を当接させて抽斗２の後退動を規制するための規制片３９が内向きに切り起こし形成されている（図３及び図８参照）。このような段押しリブ３８を規制片３９より前方に形成しておくと、抽斗７が後退動（収容される方向への移動）する終期において、ストッパー９の側面は段押しリブ３８に接触しながら後退するので、抽斗７の後退動に対して摩擦力によるブレーキが掛かることになる。その結果、抽斗７を収容するために強く押し込んだとしても、机ユニット１に強い衝撃が作用することを防止できる。
【００３１】
また、本実施形態では、支持片３１のうち垂直片と相対向する側縁部に、上向きに立ち上がった折り返し片３１ａ（図３及び図６参照）が折り曲げ形成されている。この折り返し片３１ａは、抽斗７内にノート型パソコンのような重量物を収納した場合等に、不用意に抽斗７のガイド部７ｂ（図６（ｂ）参照）が支持レール８から外れ落ちるのを阻止する抜け止めとして機能するものである。
【００３２】
支持レール８における上面片３３の後部（前後中途部から後方寄りの部位）には、中間補強枠１４群のうち前から２番目に位置する第２中間補強枠１４の係合穴２３に下方から嵌る係止爪片４０が切り起こし形成されている。本実施形態の係止爪片４０は特許請求の範囲に記載した第２係合手段の一環をなすものであり、平面視で抽斗７の中心を挟んで左右外方向（各図に示す矢印Ａ方向参照）に向けて開口する切り欠き溝部４１を備えていて正面視横向き鉤状の形態になっている。具体的にいうと、係止爪片４０は、切り欠き溝部４１の存在により抽斗７の中心を挟んで左右外側を向いた姿勢になっている。
【００３３】
このため、両係止片３４の爪状先端部を各々対応する係止穴２２に後方から差し込んだ状態で、係止爪片４０を第２中間補強枠１４の係合穴２３に下方から嵌め込んだのち、両係止片３４を支点にして支持レール８を抽斗７の中心を挟んで左右外向き（矢印Ａ方向）に水平回動させると、係止爪片４０は、第２中間補強枠１４の内底面に乗り掛かって下向き抜け不能に保持される（図６（ａ）（ｂ）参照）。本実施形態では、第２中間補強枠１４の係合穴２３が抽斗７の中心を挟んで左右外方向（矢印Ａ方向）に行くに従って溝巾が小さくなるテーパ状に形成されているので、支持レール８を抽斗７の中心を挟んで左右外向き（矢印Ａ方向）に水平回動させたときにその位置決めが容易になる。
【００３４】
係止爪片４０の切り起こしにて該係止爪片４０の前方には透かし穴４２が形成されており、この透かし穴４２のうち係止爪片４０寄りの両コーナ部に、断面鉤型の受け爪４３が形成されている。透かし穴４２の前縁部からは押え片４４が後向きに突出している。
【００３５】
支持レール８の上面片３３のうち透かし穴４２の箇所には、弾性を有する合成樹脂製で左右横長板状の位置決めキャップ４５（特許請求の範囲に記載した樹脂製部材に相当）が着脱可能に取り付けられている。この位置決めキャップ４５の下面には、該位置決めキャップ４５を後方にスライドさせたときに受け爪４３の下面に重なって引っ掛かり係合する一対の係合足４６が形成されており、これら受け爪４３と係合足４６とのスライド嵌合により、位置決めキャップ４５は上面片３３（支持レール８）に対して上下離反不能で且つ左右ずれ不能に保持される（すなわち、受け爪４３と係合足４６とは互いに嵌合した状態に保持される）。
【００３６】
また、位置決めキャップ４５の下面のうち前後縁寄りの部位には、該位置決めキャップ４５を後方にスライドさせたときに押え片４４の先端に当接するリブ状片４７が形成されており、位置決めキャップ４５を透かし穴４２の箇所に取り付けた状態では、前リブ状片４７と押え片４４との当接、及び係止爪片４０の存在により、位置決めキャップ４５は前後ずれ不能に保持される。
【００３７】
位置決めキャップ４５のうち係合足４６とリブ状片４７とで囲まれた箇所には、第２中間補強枠１４の位置決め穴２４に下方から嵌る弾性変形可能な上向き凸の位置決めフック４８が一体に形成されている。この位置決めフック４８の周囲は、上下方向に撓み変形し得るようにコ字状のスリットで囲われている。位置決めフック４８には、透かし穴４２から下向きに突出した操作片４９が一体に形成されている。
【００３８】
凹溝部２０の係止穴２２に後方から差し込まれた両係止片３４を支点にして支持レール８を抽斗７の中心を挟んで左右外向き（矢印Ａ方向）に水平回動させた場合は、位置決めフック４８は、第２中間補強枠１４の下面に押し付けられて弾性に抗して下向きに弾性変形したのち、係止爪片４０を第２中間補強枠１４の係合穴２３に嵌め込み切った状態で第２中間補強枠１４の位置決め穴２４に下方から嵌り係合することになる。これにより、支持レール８は左右ずれ不能に位置決めされる。もちろん、前部の係止片３４と係止穴２２との嵌合も支持レール８を左右ずれ不能に保持する役割を果たすことはいうまでもない。なお、位置決めフック４８と位置決め穴２４との嵌合、及び係止爪片４０と係合穴２３との嵌合により、支持レール８は前後ずれ不能に保持される。
【００３９】
係止爪片４０を第２中間補強枠１４の係合穴２３に嵌め込み切って位置決めフック４８を第２中間補強枠１４の位置決め穴２４に下方から嵌り係合させた状態では、横長形状の位置決めフック４８の上面は第２中間補強枠１４の下面に当接しており、このため、支持レール８がその軸線方向に回動するようにガタ付くことはない（姿勢保持される）。
【００４０】
（４）．支持レールの取り付け構造
以上の構成において、支持レール８を図２に二点鎖線（図５では実線）で示す抽斗支持姿勢の状態に取り付けるには、図４及び図５に示すように、支持レール８を平面視で抽斗７の収納部７ａに重なる姿勢（図５の二点鎖線状態参照）にしつつ後傾させて、係止片３４を係止穴２２に後方から嵌め込み、次いで、支持レール８を上向きに押し上げ回動して、係止爪片４０を係合穴２３に下方から嵌め込んだのち、両係止片３４を支点にして、支持レール８を平面視で抽斗７の中心を挟んで左右外向き（矢印Ａ方向）に水平回動させればよい。
【００４１】
すると、係止爪片４０の切り欠き溝部４１が係合穴２３の細巾右縁部に当接して、第２中間補強枠１４の下面板が係止爪片４０にて上下から挟持されるため、支持レール８に下向きの外力が作用しても係止爪片４０と係合穴２３との嵌合は外れ難く、その結果、支持レール８の後部は高い取り付け強度にて脱落不能に保持される。一方、この状態では、支持レール８の前部に形成された係止片３４も前部補強枠１２の係止穴２２に後方から深く嵌り込んでいるから、支持レール８の前部も高い取り付け強度にて脱落不能に保持される。従って、取り付けの容易性を損なわずに、支持レール８の取り付け強度を高めることができる。
【００４２】
支持レール８を平面視で抽斗７の中心を挟んで左右外向き（矢印Ａ方向）に水平回動させて係合穴２３に嵌め込み切ると、位置決めキャップ４５の位置決めフック４８が第２中間補強枠１４の位置決め穴２４に下方から嵌り係合して、支持レール８が前後方向に延びる抽斗支持姿勢に保持される。すなわち、位置決めフック４８が弾性変形を利用して位置決め穴２４に嵌ることによって、支持レール８の抽斗支持姿勢への位置決めが自動的になされるため、取り付け作業をより簡単且つ能率よく行える。この場合、両係止片３４の間にあるストッパー片３５が凹溝部２０の内壁前面に当接することにより、支持レール８の水平回動範囲が規制される。
【００４３】
また、支持レール８における前部の係止片３４が前部補強枠１２の係止穴２２に後方から深く嵌り込んでいると共に、位置決めフック４８が第２中間補強枠１４の位置決め穴２４に下方から嵌り係合しているので、支持レール８が左右方向にガタ付くことを阻止できる。なお、前述した通り、位置決めフック４８と位置決め穴２４との嵌合、及び係止爪片４０と係合穴２３との嵌合により、支持レール８の前後のガタ付きが阻止されており、位置決めフック４８の上面が第２中間補強枠１４の下面に当接していることにより、支持レール８はその軸線方向に回動するようにガタ付くことも阻止される。
【００４４】
支持レール８を取り外す際には、位置決めフック４８のうち透かし穴４２から下向きに突出した操作片４９を弾性に抗して下向きに引っ張ることにより位置決め穴２４との係合を解除し、この状態で両係止片３４を支点にして、支持レール８を平面視で抽斗７の収納部７ａに重なる姿勢にまで水平回動させればよい。従って、支持レール８は取り付けだけでなく取り外しも簡単に行える。特に、位置決めフック４８が合成樹脂製であるから、操作片４９を弾性に抗して下向きに引っ張るだけで、位置決めフック４８を軽い力で弾性変形させることができ、位置決め穴２４との係合を簡単に解除できる。このため、支持レール８の取り外しがきわめて容易なのである。
【００４５】
また、取り外し時における支持レール８の水平回動方向は、抽斗支持姿勢から平面視で抽斗７の収納部７ａに重なる姿勢に向けての方向であるから、支持すべき抽斗７を外しておけば、隣接する他の抽斗７や脚３、袖キャビネット４と干渉することなく、支持レール８を個別に取り付けたり取り外したりできる。従って、支持レール８の取り付け・取り外し作業や交換作業を簡単に行えるのである。
【００４６】
（５）．その他
本願発明は前述の実施形態に限らず、様々な態様に具体化できる。例えば係合手段（第１係合手段及び第２係合手段）としては、係合爪と係合穴との嵌め合わせに限らず、係合爪同士の嵌め合わせ構造を採用してもよい。係合手段を構成する２つの係合爪はいずれか一方が弾性変形すれば足りる。他の係合構造（係止構造）も採用可能である。
【００４７】
係合手段としての爪（凸部）と穴（凹部）との配置は、天板と支持レールとの間で任意に設定できる。すなわち、天板と支持レールとのうちいずれか一方に爪（凸部）を形成し、他方に穴（凹部）を形成すればよい。
【００４８】
また、位置決めフック４８に代えて、支持レール８の上面片３３にダボ状等の突起を形成し、これを位置決め穴２４に嵌め込むようにしてもよい。
【００４９】
その他、各部の構成は図示の実施形態に限定されるものではなく、本発明の趣旨を逸脱しない範囲で種々変更が可能である。
【図面の簡単な説明】
【００５０】
【図１】多連式机システムの外観斜視図である。
【図２】天板の部分底面図である。
【図３】天板と支持レールとの関係を示す分離斜視図である。
【図４】支持レールの取り付け手順の前半段階を示す側断面図である。
【図５】支持レールの取り付け手順の後半段階を示す底面図である。
【図６】（ａ）は位置決めフックを第２中間補強枠の位置決め穴に嵌め込む前の状態を示す部分正断面図、（ｂ）は係止爪片を第２中間補強枠の係合穴に嵌め込み切った状態を示す部分正断面図である。
【図７】位置決めキャップの正面図である。
【図８】抽斗の後端部と支持レールの後端部との関係を示す平断面図である。
【符号の説明】
【００５１】
２  天板
７  抽斗
８  支持レール
１１  表面板
１２  前部補強枠
１３  後部補強枠
１４  中間補強枠
１８，１９  角形樋状部
２０，２１  凹溝部
２２  第１係合手段の一環としての係止穴
２３  第２係合手段の一環としての係合穴
２４  位置決め穴
３１  支持片
３２  垂直片
３３  上面片
３４  第１係合手段としての係止片
４０  第２係合手段の一環としての係止爪片
４５  位置決めキャップ
４８  位置決めフック
４９  操作片
【図１】
0004739001.tif 000002
【図２】
0004739001.tif 000003
【図３】
0004739001.tif 000004
【図４】
0004739001.tif 000005
【図５】
0004739001.tif 000006
【図６】
0004739001.tif 000007
【図７】
0004739001.tif 000008
【図８】
0004739001.tif 000009